(57)【特許請求の範囲】
【請求項１】
映像信号を記録再生する記録再生装置において、
複数チャンネルの映像信号をチャンネル数に応じて受信する複数のチューナと、
複数の上記チューナにより受信された複数の上記映像信号を、上記チャンネル別に圧縮する圧縮手段と、
上記圧縮手段により上記チャンネル毎に圧縮された複数の上記映像信号を記録媒体に記録する記録手段と、
上記記録媒体に記録された複数の上記映像信号を上記記録媒体から再生する再生手段と、
上記再生手段により再生された複数の上記映像信号を上記チャンネル別に復号する復号手段と、
上記復号手段により復号された複数の上記映像信号を、同一画面上において複数に分割された画面領域に上記チャンネル毎に割り振って、動画映像として同時表示させるマルチ画面合成手段と、
上記複数チャンネルの１つを選択する選択手段の第１の操作によって第１のチャンネルが選択された場合は、該第１のチャンネルに対応する上記動画映像の音声を出力させるとともに、該選択手段の第２の操作によって該第１のチャンネルが選択された場合は、該第１のチャンネルに対応する上記動画映像を画面全体で表示させるように制御する表示制御手段と
を有することを特徴とする記録再生装置。
【請求項２】
映像信号を記録再生する記録再生装置において、
複数チャンネルの映像信号をチャンネル数に応じて受信する複数のチューナと、
複数の上記チューナにより受信された複数の上記映像信号を、上記チャンネル別に圧縮する圧縮手段と、
上記圧縮手段により上記チャンネル毎に圧縮された複数の上記映像信号を記録媒体に記録する記録手段と、
上記記録媒体に記録された複数の上記映像信号を上記記録媒体から再生する再生手段と、
上記再生手段により再生された複数の上記映像信号を上記チャンネル別に復号する復号手段と、
上記復号手段により復号された複数の上記映像信号を、同一画面上において複数に分割された画面領域に上記チャンネル毎に割り振って、動画映像として同時表示させるマルチ画面合成手段と、
上記複数チャンネルの１つを選択する選択手段の第１の操作によって第１のチャンネルが選択された場合は、該第１のチャンネルに対応する上記動画映像の画面領域を強調表示させるとともに、該選択手段の第２の操作によって該第１のチャンネルが選択された場合は、該第１のチャンネルに対応する上記動画映像を画面全体で表示させるように制御する表示制御手段と
を有することを特徴とする記録再生装置。
【請求項３】
上記記録手段は、上記チャンネル別に圧縮された複数の上記映像信号を多重化して上記記録媒体に記録し、
上記再生手段は、上記記録媒体に多重化して記録された映像信号を再生し、
上記再生手段により再生された上記映像信号をチャンネル別に分離して上記表示制御手段に出力する分離手段を更に有する
ことを特徴とする請求項１又は２記載の記録再生装置。
【請求項４】
上記複数チャンネルの映像信号は、同時に放送されているテレビ番組であることを特徴とする請求項１、２又は３記載の記録再生装置。
【請求項５】
映像信号を記録再生する記録再生方法において、
複数チャンネルの映像信号をチャンネル数に応じて受信する複数の受信工程と、
複数の上記受信工程により受信された複数の上記映像信号を、上記チャンネル別に圧縮する圧縮工程と、
上記圧縮工程により上記チャンネル毎に圧縮された複数の上記映像信号を記録媒体に記録する記録工程と、
上記記録媒体に記録された複数の上記映像信号を上記記録媒体から再生する再生工程と、
上記再生工程により再生された複数の上記映像信号を上記チャンネル別に復号する復号工程と、
上記復号工程により復号された複数の上記映像信号を、同一画面上において複数に分割された画面領域に上記チャンネル毎に割り振って、動画映像として同時表示させるマルチ画面合成工程と、
上記複数チャンネルの１つを選択する選択手段の第１の操作によって第１のチャンネルが選択された場合は、該第１のチャンネルに対応する上記動画映像の音声を出力させるとともに、該選択手段の第２の操作によって該第１のチャンネルが選択された場合は、該第１のチャンネルに対応する上記動画映像を画面全体で表示させるように制御する表示制御工程と
を有することを特徴とする記録再生方法。
【請求項６】
映像信号を記録再生する記録再生方法において、
複数チャンネルの映像信号をチャンネル数に応じて受信する複数の受信工程と、
複数の上記受信工程により受信された複数の上記映像信号を、上記チャンネル別に圧縮する圧縮工程と、
上記圧縮工程により上記チャンネル毎に圧縮された複数の上記映像信号を記録媒体に記録する記録工程と、
上記記録媒体に記録された複数の上記映像信号を上記記録媒体から再生する再生工程と、
上記再生工程により再生された複数の上記映像信号を上記チャンネル別に復号する復号工程と、
上記復号工程により復号された複数の上記映像信号を、同一画面上において複数に分割された画面領域に上記チャンネル毎に割り振って、動画映像として同時に表示させるマルチ画面合成工程と、
上記複数チャンネルの１つを選択する選択手段の第１の操作によって第１のチャンネルが選択された場合は、該第１のチャンネルに対応する上記動画映像の画面領域を強調表示させるとともに、該選択手段の第２の操作によって該第１のチャンネルが選択された場合は、該第１のチャンネルに対応する上記動画映像を画面全体で表示させるように制御する表示制御工程と
を有することを特徴とする記録再生方法。
【発明の詳細な説明】
【０００１】
【産業上の利用分野】
本発明は、複数チャンネルの映像信号を多重化して記録媒体に記録し再生する記録再生装置及び方法に関する。
【０００２】
【従来の技術】
ユーザが供給される信号を記録して所望する時間に再生して楽しむための装置としてビデオテープレコーダ（以下、ＶＴＲという）が提供され、普及している。このＶＴＲは、基本的に１台で１番組を記録あるいは再生するように構成されている。
【０００３】
ユーザに同じ時刻に２つの番組を視聴したいという要望がある場合、ユーザは、テレビジョンで所望する一方の番組を視聴し、他方の番組に対してはＶＴＲを用いて録画し、上記一方の番組が視聴した後に他方の番組を視聴する方法をとって重なった視聴時間をずらして両番組を見ている。これが、いわゆる裏録と呼ばれる方法である。
【０００４】
また、３つ以上の番組が同じ時刻に重なる場合、ユーザは、いわゆる裏録を駆使しながらも２台以上のＶＴＲを用いて対応しなければならない。
【０００５】
このように基本的に１台で１番組の記録再生を行うＶＴＲでは、たとえ複数のチューナを有していても１番組しか記録できないことになる。換言すれば、同じ時刻に複数のテレビ番組を録画しようとする場合、ＶＴＲは、番組の数だけ装置が必要になる。
【０００６】
【課題を解決しようとする課題】
ところで、同時刻に見たい番組が増えると、ＶＴＲの数は、番組の数に応じて増えることになり、非常に不経済である。
【０００７】
一方、最近、映像信号やオーディオ信号等のデータに対して高能率符号化によりデータ圧縮を施し大幅な低減を図って記録媒体に記録する方法が提案されてきている。この一具体的な方法には、例えば国際標準のムービング・ピクチャ・イメージ・エキスパート・グループ（Ｍｏｖｉｎｇ  Ｐｉｃｔｕｒｅ  Ｉｍａｇｅ  Ｃｏｄｉｎｇ  Ｅｘｐｅｒｔｓ  Ｇｒｏｕｐ：以下ＭＰＥＧという）規格がある。
【０００８】
このＭＰＥＧ規格等による画像圧縮技術を用いることにより、複数のチャンネルの番組を多重化して１チャンネルとして扱い多チャンネル記録することができる。この多重化されたデータの記録には、例えば磁気ディスク装置、半導体メモリ、光ディスク装置等のディジタルデバイスへ複数チャンネルを同時録画、再生することが現実味を帯びてきている。
【０００９】
ところが、再生時にユーザは、多重化されたデータの中から所望の番組を選択する際に一つ一つの番組を再生しながら確認しなければならず、番組選択が非常に煩雑な作業になってしまう。
【００１０】
そこで、本発明は、上述したような実情に鑑みてなされたものであり、複数チャンネルの映像信号を多重化して記録媒体に記録し再生する記録再生装置及び方法を提供することを目的とする。
【００１１】
【課題を解決するための手段】
本発明に係る映像再生装置は、上述した課題を解決するため、複数チャンネルの多重化した映像信号が記録された記録媒体のデータを再生する映像再生装置において、記録媒体から多重化した映像データを再生する再生部と、再生部からのデータを復元して各チャンネル毎の映像信号を合成し複数の画面で一つの画面として表示させるマルチ画面合成部と、マルチ画面合成部によるマルチ合成映像信号と各チャンネルの映像信号とを選択的に取り出す選択部と、再生部及び選択部を制御するコントローラとを有することを特徴としている。
【００１２】
ここで、再生部には、記録機能を有し、複数チャンネルの映像信号をチャンネル数に応じて信号を受信するチューナと、チューナからの出力をディジタル信号にするＡ／Ｄ変換器と、Ａ／Ｄ変換器からの出力を多重化するデータ多重化部とから成る信号処理部が設けられている。
【００１３】
この再生部には、記録機能を有するため記録部が設けられている。
【００１４】
また、映像再生装置は、マルチ画面合成部からの出力を画像表示するモニタと、モニタの画像上に指示マーカを表し選択結果をコントローラに供給するマウスとが設けられている。
【００１５】
マルチ画面合成部は、再生部からの圧縮データを復元するデータ復元部と、データ復元部からのデータをアナログ信号にするＤ／Ａ変換部と、Ｄ／Ａ変換部からの信号をマルチ画面化するマルチ画面化処理部とで構成する。
【００１６】
マルチ画面合成部には、再生部からの圧縮データを復元するデータ復元部と、データ復元部からのデータをマルチ画面化するマルチ画面化処理部とを設け、選択部で選択したデータ復元部からの各チャンネルの映像あるいはマルチ画面化処理部からのマルチ合成映像のデータをアナログ信号に変換するようにしてもよい。
【００１７】
マルチ画面合成には、再生部からの多重化されたデータを各チャンネルに分割するチャンネル分割部と多重化されたデータをマルチ画面化するマルチ画面化処理部とを設け、チャンネル分割部とマルチ画面化処理部とからの出力信号が供給される選択部により選択されたデータに対するデータの復元をデータ復元部で行い、復元されたデータをアナログ信号に変換する構成にしてもよい。
【００１８】
さらに、マルチ画面化処理部には、選択する映像に対応するヘッダ情報が供給されると共に、各チャンネルの再生データに上記マルチ画面化手段から付加した多重化を行うマルチプレクサ部と、マルチプレクサ部からの出力信号の中で選択された映像に対応するヘッダ情報が付加されたチャンネルをコントローラの制御に応じて選択するデータ復元部と、データ復元部からの出力をアナログ信号に変換するＤ／Ａ変換部とで構成してもよい。
【００１９】
この場合のデータ復元部は、マウスの選択に応じてマルチ合成映像信号と各チャンネルの映像信号とを選択的に取り出す選択部に対応している。
ここで、本発明に係る記録再生装置は、映像信号を記録再生する記録再生装置において、複数チャンネルの映像信号をチャンネル数に応じて受信する複数のチューナと、複数の上記チューナにより受信された複数の上記映像信号を、上記チャンネル別に圧縮する圧縮手段と、上記圧縮手段により上記チャンネル毎に圧縮された複数の上記映像信号を記録媒体に記録する記録手段と、上記記録媒体に記録された複数の上記映像信号を上記記録媒体から再生する再生手段と、上記再生手段により再生された複数の上記映像信号を上記チャンネル別に復号する復号手段と、上記復号手段により復号された複数の上記映像信号を、同一画面上において複数に分割された画面領域に上記チャンネル毎に割り振って、動画映像として同時表示させるマルチ画面合成手段と、上記複数チャンネルの１つを選択する選択手段の第１の操作によって第１のチャンネルが選択された場合は、該第１のチャンネルに対応する上記動画映像の音声を出力させるとともに、該選択手段の第２の操作によって該第１のチャンネルが選択された場合は、該第１のチャンネルに対応する上記動画映像を画面全体で表示させるように制御する表示制御手段とを有することを特徴とする。
また、本発明に係る記録再生装置は、映像信号を記録再生する記録再生装置において、複数チャンネルの映像信号をチャンネル数に応じて受信する複数のチューナと、複数の上記チューナにより受信された複数の上記映像信号を、上記チャンネル別に圧縮する圧縮手段と、上記圧縮手段により上記チャンネル毎に圧縮された複数の上記映像信号を記録媒体に記録する記録手段と、上記記録媒体に記録された複数の上記映像信号を上記記録媒体から再生する再生手段と、上記再生手段により再生された複数の上記映像信号を上記チャンネル別に復号する復号手段と、上記復号手段により復号された複数の上記映像信号を、同一画面上において複数に分割された画面領域に上記チャンネル毎に割り振って、動画映像として同時表示させるマルチ画面合成手段と、上記複数チャンネルの１つを選択する選択手段の第１の操作によって第１のチャンネルが選択された場合は、該第１のチャンネルに対応する上記動画映像の画面領域を強調表示させるとともに、該選択手段の第２の操作によって該第１のチャンネルが選択された場合は、該第１のチャンネルに対応する上記動画映像を画面全体で表示させるように制御する表示制御手段とを有することを特徴とする。
本発明に係る記録再生方法は、映像信号を記録再生する記録再生方法において、複数チャンネルの映像信号をチャンネル数に応じて受信する複数の受信工程と、複数の上記受信工程により受信された複数の上記映像信号を、上記チャンネル別に圧縮する圧縮工程と、上記圧縮工程により上記チャンネル毎に圧縮された複数の上記映像信号を記録媒体に記録する記録工程と、上記記録媒体に記録された複数の上記映像信号を上記記録媒体から再生する再生工程と、上記再生工程により再生された複数の上記映像信号を上記チャンネル別に復号する復号工程と、上記復号工程により復号された複数の上記映像信号を、同一画面上において複数に分割された画面領域に上記チャンネル毎に割り振って、動画映像として同時表示させるマルチ画面合成工程と、上記複数チャンネルの１つを選択する選択手段の第１の操作によって第１のチャンネルが選択された場合は、該第１のチャンネルに対応する上記動画映像の音声を出力させるとともに、該選択手段の第２の操作によって該第１のチャンネルが選択された場合は、該第１のチャンネルに対応する上記動画映像を画面全体で表示させるように制御する表示制御工程とを有することを特徴とする。
また、本発明に係る記録再生方法は、映像信号を記録再生する記録再生方法において、複数チャンネルの映像信号をチャンネル数に応じて受信する複数の受信工程と、複数の上記受信工程により受信された複数の上記映像信号を、上記チャンネル別に圧縮する圧縮工程と、上記圧縮工程により上記チャンネル毎に圧縮された複数の上記映像信号を記録媒体に記録する記録工程と、上記記録媒体に記録された複数の上記映像信号を上記記録媒体から再生する再生工程と、上記再生工程により再生された複数の上記映像信号を上記チャンネル別に復号する復号工程と、上記復号工程により復号された複数の上記映像信号を、同一画面上において複数に分割された画面領域に上記チャンネル毎に割り振って、動画映像として同時に表示させるマルチ画面合成工程と、上記複数チャンネルの１つを選択する選択手段の第１の操作によって第１のチャンネルが選択された場合は、該第１のチャンネルに対応する上記動画映像の画面領域を強調表示させるとともに、該選択手段の第２の操作によって該第１のチャンネルが選択された場合は、該第１のチャンネルに対応する上記動画映像を画面全体で表示させるように制御する表示制御工程とを有することを特徴とする。
【００２０】
【作用】
本発明に係る映像再生装置は、コントローラの制御に応じて再生部からのデータを復元して各チャンネル毎の映像信号から成る複数の画面をマルチ画面合成部で合成して一つの画面に表示させたマルチ合成映像信号と各チャンネルの映像信号とを選択部で選択することにより、同時録画した複数のチャンネルの番組を同時に再生してモニタに表示する。この複数の番組から１つの画面をマウス等の選択操作によって選択した番組を表示したり、選択された番組の音声を出力させる。
【００２１】
以下、本発明に係る記録再生装置及び方法の一実施例について、図面を参照しながら説明する。
【００２２】
この映像再生装置は、この実施例で１６チャンネルの映像を扱う場合について説明する。
【００２３】
映像再生装置は、基本的には例えば図１に示すように、記録媒体へのデータアクセスにより記録機能を有し、再生を行う記録再生部１と、記録再生部１からの出力に応じて復元した各チャンネルのデータを合成してマルチ画面にするマルチ画面合成部２と、この各チャンネルのデータあるいはマルチ画面合成部２からのマルチ画面合成信号のいずれかを選択する選択部３と、記録再生部１及び選択部３を制御するコントローラ４とを有している。
【００２４】
記録再生部１は、映像データを記録する記録部１ａと、記録された映像データを再生する再生部１ｂとで構成されている。この記録部１ａと再生部１ｂは、コントローラ４の制御に応じて動作する。
【００２５】
記録部１ａには、テレビジョンアンテナあるいはケーブル等の有線を介して複数のチャンネルの映像信号を受信し、この受信信号に信号処理を施す信号処理部５から映像データが供給されている。この映像データは、複数の映像信号をディジタル化して多重化することにより１チャンネルの信号として扱われる。
【００２６】
上記信号処理部５は、アンテナ９から供給される信号を各チャンネル毎に選局するチューナ５ａ１  〜５ａ１６と、チューナ５ａ１  〜５ａ１６からの出力をそれぞれディジタル信号に変換するＡ／Ｄ変換器５ｂ１  〜５ｂ１６と、Ａ／Ｄ変換器５ｂ１  〜５ｂ１６からの各ディジタル出力を圧縮するディジタル圧縮器５ｃ１  〜５ｃ１６と、ディジタル圧縮器５ｃ１  〜５ｃ１６からの出力を１チャンネルとして多重化するデータ多重化部５ｄとで構成している。
【００２７】
ディジタル圧縮器５ｃ１  〜５ｃ１６は、それぞれ供給されるデータに例えばＭＰＥＧ規格に基づく圧縮処理を施している。しかしながら、信号処理部５に供給される信号が予め圧縮されていれば、これらのディジタル圧縮器５ｃ１  〜５ｃ１６は不要になる。
【００２８】
マルチ画面合成部２には、チャンネル数に対応する１６個の圧縮されたディジタルデータを復元するデータ復元部２ａと、データ復元部２ａからの出力をアナログ信号に変換するＤ／Ａ変換器２ｂ１  〜２ｂ１６と、Ｄ／Ａ変換器２ｂ１  〜２ｂ１６からの出力をマルチ画面化するマルチ画面化処理部２ｃとが設けられている。
【００２９】
データ復元部２には、ディジタル圧縮器５ｃ１  〜５ｃ１６でのディジタル圧縮処理に応じてデータ伸張処理を行うディジタル圧縮復元器２ａ１  〜２ａ１６が設けられている。
【００３０】
マルチ画面化処理部２ｃは、後述するモニタ６に例えば４行４列に区分けして表示可能なようにＤ／Ａ変換器２ｂ１  〜２ｂ１６からの出力に信号処理している。
【００３１】
選択部３は、Ｄ／Ａ変換器２ｂ１  〜２ｂ１６からの出力とマルチ画面化処理部２ｃからの出力とを選択しながら選択したチャンネルの映像信号とオーディオ信号を出力する。この選択部３は、コントローラ４による制御応じてチャンネルの選択が行われる。
【００３２】
コントローラ４には、マウス７が接続されている。コントローラ４は、マルチ画面化処理部２ｃからのマルチ画面信号をモニタ６に表示した際にマウス７のクリックに応じてオーディオ信号を出力するようにしたり、選択したフレームを強調したりする表示制御を行う。
【００３３】
次に、この映像再生装置の動作について簡単に説明する。
【００３４】
映像再生装置は、先ず再生部１ｂで記録媒体から再生した圧縮データをマルチ画面合成部２に供給する。マルチ画面合成部２は、供給された圧縮データをデータ復元部２ａで各チャンネル毎のディジタルデータになるよう信号処理して各チャンネルに対応するＤ／Ａ変換器２ｂ１  〜２ｂ１６に出力する。Ｄ／Ａ変換器２ｂ１  〜２ｂ１６は、各チャンネルのディジタル信号をアナログ信号に変換してそれぞれ選択部３とマルチ画面化処理部２ｃとに供給する。
【００３５】
マルチ画面化処理部２ｃは、１６チャンネル分の画像を１６分割した各領域でそれぞれ表示するように信号処理している。
【００３６】
選択部３は、コントローラ４により制御を受けている。このコントローラ４は、マウス７の操作に応じた制御を選択部３に対して行っている。このモニタ６には選択部３で選択された映像信号が出力される。
【００３７】
この出力する映像選択について図２のフローチャートと図３〜図５に上記フローチャートに応じてモニタ６がどのようになるかを示す模式図を参照しながら説明する。
【００３８】
出力映像信号の選択制御を開始する。ステップＳ１では、マルチ画面化処理部２ｃにより１６分割した領域に各チャンネルを割り振る。これにより、モニタ６には、例えば図３に示すように、同時に記録された４つのチャンネルの映像が表示される。図３の表示は、例えば圧縮データを格納する用に設けられた第１〜第１６タイムスロットまでをチャンネルとみなして各分割画面領域の左上に数字「１」〜「１６」で表している。この後、ステップＳ２に進む。
【００３９】
ステップＳ２では、モニタ６の画面上でカーソル７ａを表示させながら、マウス７の左側のスイッチが１回クリックされたかどうかをコントロール４で判断している。ステップＳ２で左側のスイッチが１回クリックされたとき（Ｙｅｓ）、ステップＳ３に進む。また、左側のスイッチが１回クリックされなかったとき（Ｎｏ）、ステップＳ５に進む。
【００４０】
ステップＳ３では、カーソル７ａが位置する領域に表示されたチャンネルの映像が選択されたことを示し、音声を出力する。
【００４１】
次に、ステップＳ３に続けくステップＳ４では、コントローラ４は、選択された画像のフレームを強調表示させる（図４を参照）。図４の画面は、例えばチャンネル２が選択されたことを示している。
【００４２】
ステップＳ５では、マウス７の左側のスイッチが２回連続クリックされたかどうかをコントローラ４で判断している。左側のスイッチが２回連続クリックされていないとき（Ｎｏ）、ステップＳ２に戻る。左側のスイッチが２回連続クリックされたとき（Ｙｅｓ）、ステップＳ６に進む。
【００４３】
ステップＳ６では、コントローラ４は、選択した映像・音声の両方を画面全体で表示するようにマウス７により選択されたものとみなして選択部３に画面の切り換える処理をさせる。これにより、モニタ６には、例えば図５に示すように選択された映像が表示されるようになる。
【００４４】
次に、ステップＳ７では、マウス７の右側のスイッチがクリックされたかどうかコントローラ４で判断している。右側のスイッチがクリックされないとき（Ｎｏ）、ステップＳ７の判断を繰り返す。また、右側のスイッチがクリックされたとき（Ｙｅｓ）、この出力映像選択の処理を終了する。
【００４５】
このように構成し動作させることにより、同時に録画した複数のチャンネルを１画面内に同時再生させることができ、その中の音声を１つだけ選択することができる。また、複数のチャンネルの中から１つだけを画面全体に選択して表示させることもできる。
【００４６】
次に、前述した実施例による映像再生装置の構成をより簡略化する変形例について図６〜図８を参照しながら説明する。ここで、共通する部分に同じ参照番号を付して説明を省略する。
【００４７】
図６に示す第１の変形例において、マルチ画面合成部２は、データ復元部２ａと、マルチ画面化処理部２ｃとで構成する。
【００４８】
選択部３には、データ復元部２ａからのデータ伸張処理が施された各チャンネル毎の出力とマルチ画面化処理部２ｃからのどの画像を出力するか選択用のデータが供給されている。選択部３は、コントローラ４の制御に応じて供給されるデータから選択したオーディオデータと映像データをＤ／Ａ変換器８Ａ、８Ｖに供給する。
【００４９】
Ｄ／Ａ変換器８Ａ、８Ｖは、それぞれオーディオデータと映像データとをアナログ信号である音声信号と映像信号にする。
【００５０】
このように構成することにより、マルチ画面合成部２に設けていた１６個のＤ／Ａ変換器２ｂ１  〜２ｂ１６を２個で済ませることができる。
【００５１】
次に、図７に示す第２の変形例について説明する。
【００５２】
この場合、マルチ画面合成部２は、再生部１ｂから出力される多重化された再生データを各チャンネル毎に対応したデータに振り分けるデマルチプレクサ部（ＤＥＭＵＸ）２ｄと、マルチ画面化処理部２ｃとで構成する。
【００５３】
従って、このマルチ画面合成部２は、選択部３にチャンネル毎に分離された圧縮データと１画面に複数の画像が分割配置された圧縮データを出力する。
【００５４】
選択部３は、コントローラ４の制御に応じて１つのチャンネルあるいはマルチ画面化に伴う圧縮データをディジタル圧縮復元器２Ａに供給する。このディジタル圧縮復元器２Ａは、供給された圧縮データに伸張処理を施し、オーディオデータと映像データにしてＤ／Ａ変換器８Ａ、８Ｖに供給する。
【００５５】
Ｄ／Ａ変換器８Ａ、８Ｖは、それぞれオーディオデータと映像データとをアナログ信号である音声信号と映像信号にする。
【００５６】
このように構成することにより、マルチ画面合成部２のデータ復元部２ａに設けていた１６個のディジタル圧縮復元器２ａ１  〜２ａ１６を選択部３の後段に配設する１個で済ませることができる。
【００５７】
最後に、図８に示す第３の変形例について説明する。
【００５８】
再生部１ｂは、単に同時録画の際に割り振ったタイムスロットに格納された圧縮データが出力される。再生部１ｂは、この圧縮データをマルチプレクサ（以下、ＭＵＸという）部２ｅと、マルチ画面化処理部２ｃにそれぞれ供給する。
【００５９】
マルチ画面化処理部２ｃは、マウス７で映像・音声を選択し、この選択結果がコントローラ４に供給される。コントローラ４は、選択するチャンネルに対応するヘッダ情報をマルチ画面化処理部２ｃとＭＵＸ部２ｅにそれぞれ供給する。
【００６０】
マルチ画面化処理部２ｃは、ヘッダ情報に応じて選択するチャンネルのフレームを強調させるデータを付加する処理をしてＭＵＸ部２ｅに供給する。また、このＭＵＸ部２ｅは、選択するチャンネルにもヘッダ情報を付加する多重化処理を行うと共に、マルチ画面化処理部２ｃからのデータと各チャンネル毎のデータとの多重化処理も行っている。ＭＵＸ部２ｅは、この多重化された圧縮データをディジタル圧縮復号器２Ｂに供給する。
【００６１】
このディジタル圧縮復号器２Ｂは、コントローラ４の制御に応じてヘッダ情報が付加されているチャンネルあるいはマルチ画面化処理部２ｃからの出力のいずれかが選択される。従って、ディジタル圧縮復号器２Ｂは、選択部３と同じ機能を有していることになる。ディジタル圧縮復号器２Ｂは、この選択結果に対応するデータに対してデータ伸張処理を施してデータを復元してオーディオデータと映像データにしてＤ／Ａ変換器８Ａ、８Ｖに供給する。
【００６２】
Ｄ／Ａ変換器８Ａ、８Ｖは、それぞれオーディオデータと映像データとをアナログ信号である音声信号と映像信号にする。
【００６３】
このように構成することにより、選択部３を設けることなく、ＭＵＸ部２ｅを設けて装置構成を簡略化することができる。
【００６４】
以上のように構成することにより、複数チャンネルを同時録画したデータを１画面に同時再生することができ、音声・映像を選択することができるので、従来のチャンネル毎に再生して確認しながら所望の番組を選択する煩雑な作業を行うことなく容易に番組選択を行うことができ操作性を大幅に向上させることができる。
【００６５】
また、この構成により、ディジタル多重化放送にも容易に対応させることができる。
【００６６】
本発明に係る記録再生装置及び方法によれば、複数チャンネルを同時録画したデータを１画面に同時再生することができ、音声・映像を選択することができるので、従来のチャンネル毎に再生して確認しながら所望の番組を選択する煩雑な作業を行うことなく容易に番組選択を行うことができ操作性を大幅に向上させることができる。
【００６７】
また、この構成により、ディジタル多重化放送にも容易に対応させることができる。
【図面の簡単な説明】
【図１】本発明に係る映像再生装置の概略的な構成を示すブロック図である。
【図２】上記映像再生装置における出力選択の動作手順を示すフローチャートである。
【図３】上記映像再生装置の動作に伴うモニタ画面の一例を示す模式図である。
【図４】上記映像再生装置の動作に伴うモニタ画面の一例を示す模式図である。
【図５】上記映像再生装置の動作に伴うモニタ画面の一例を示す模式図である。
【図６】上記映像再生装置における第１の変形例の構成を示すブロック図である。
【図７】上記映像再生装置における第２の変形例の構成を示すブロック図である。
【図８】上記映像再生装置における第３の変形例の構成を示すブロック図である。
【符号の説明】
１  記録再生部
１ａ  記録部
１ｂ  再生部
２  マルチ画面合成部
２ａ  データ復元部
２ｂ１  〜２ｂ１６  Ｄ／Ａ変換器
２ｃ  マルチ画面化処理部
２ｄ  デマルチプレクサ部
３  選択部
４  コントローラ
５  信号処理部
６  モニタ
７  マウス
【図１】
0003598544.tif 000002
【図２】
0003598544.tif 000003
【図３】
0003598544.tif 000004
【図４】
0003598544.tif 000005
【図５】
0003598544.tif 000006
【図６】
0003598544.tif 000007
【図７】
0003598544.tif 000008
【図８】
0003598544.tif 000009